【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
第１のワイヤレスデバイスから第２のワイヤレスデバイスにパケットを送信することと、ここにおいて、前記パケット内のデータが符号化され、前記パケットを表す信号が変調およびコーディング方式（ＭＣＳ）に従って変調される、
前記パケットを送信したことに応答して、ＭＣＳ変化インジケータを含む肯定応答パケットがワイヤレスローカルエリアネットワーク（ＷＬＡＮ）を介して前記第２のワイヤレスデバイスから時間期間内に受信されたとき、
前記ＭＣＳ変化インジケータが第１の値を有するとき、前記ＭＣＳを維持することと、
前記ＭＣＳ変化インジケータが第２の値を有するとき、前記ＭＣＳを増分することと
前記肯定応答パケットが前記時間期間内に受信されないとき、前記ＭＣＳよりも小さい第２のＭＣＳに従って、前記パケットを再送信することと
を備える、方法。
【請求項２】
前記パケットが第１の送信電力レベルで送信され、前記肯定応答パケットが前記時間期間内に前記パケットに応答して受信されないとき、前記パケットが、前記第１の送信電力レベルよりも大きい第２の送信電力レベルに従って送信される、請求項１に記載の方法。
【請求項３】
前記パケットが、前記第１のワイヤレスデバイスの起動時に、最も低いＭＣＳに従って前記第１のワイヤレスデバイスから送信される、請求項１に記載の方法。
【請求項４】
前記ＭＣＳ変化インジケータが７ビット未満を含む、請求項１に記載の方法。
【請求項５】
前記肯定応答パケットがブロック肯定応答である、請求項１に記載の方法。
【請求項６】
前記肯定応答パケット中に含まれる前記ＭＣＳ変化インジケータが第３の値を有するとき、前記ＭＣＳを減分することをさらに備える、請求項１に記載の方法。
【請求項７】
前記ＭＣＳ変化インジケータが前記第２の値を有し、前記ＭＣＳが特定のレベルにあるとき、前記第２のワイヤレスデバイスへの後続の送信において使用するための送信電力を減少させる、請求項１に記載の方法。
【請求項８】
ワイヤレスデバイスにパケットを送信するための手段と、ここにおいて、前記パケット内のデータが符号化され、前記パケットを表す信号が変調およびコーディング方式（ＭＣＳ）に従って変調され、前記信号がある送信電力レベルで送信される、
前記パケットを送信したことに応答して、ワイヤレスローカルエリアネットワーク（ＷＬＡＮ）を介して前記ワイヤレスデバイスから肯定応答パケットを受信するための手段と、
前記肯定応答パケットが時間期間内に受信されるとき、前記ＭＣＳを変化させるべきかどうかを判断するための手段と、ここにおいて、前記ＭＣＳを変換させるべきかどうかを判断するための前記手段は、
前記肯定応答パケットのＭＣＳ変化インジケータが第１の値を有するとき、前記ＭＣＳを維持することと、
前記肯定応答パケットの前記ＭＣＳ変化インジケータが第２の値を有するとき、前記ＭＣＳを増分することと
を行うように構成される、
前記パケットを再送信するかべきどうかを判断するための手段と、ここにおいて、前記パケットを再送新するかべきどうかを判断するため手段は、前記肯定応答パケットが前記期間内に受信されないとき、前記ＭＣＳよりも小さい第２のＭＣＳに従って、前記パケットの送信を再開始するように構成される、
を備える装置。
【請求項９】
第２のワイヤレスデバイスにおいて第１のワイヤレスデバイスによって送信されたパケットを受信することと、ここにおいて、前記パケットが第１の変調およびコーディング方式（ＭＣＳ）を示す、
前記パケットから導出された信号特性に基づいて前記第２のワイヤレスデバイスにおいて第２のＭＣＳを推定することと、
前記第２のワイヤレスデバイスからＭＣＳ変化インジケータとともに第１の肯定応答パケットを前記第１のワイヤレスデバイスに送信することと、
ここにおいて、前記第２のＭＣＳが前記第１のＭＣＳよりも大きいとき、前記ＭＣＳ変化インジケータは、前記第１のＭＣＳが特定のレベルよりも小さいとき、前記第１のＭＣＳを増分し、前記第１のＭＣＳが前記特定のレベルにあるとき、送信電力レベルを低減するように前記第１のワイヤレスデバイスに命令する、
前記第２のＭＣＳが前記第１のＭＣＳ以下であるとき、前記ＭＣＳ変化インジケータは、前記第１のＭＣＳを維持するように前記第１のワイヤレスデバイスに命令する、
を備える方法。
【請求項１０】
ワイヤレスデバイスから送信されたパケットを受信するための手段と、ここにおいて、前記パケットは、第１の変調およびコーディング方式（ＭＣＳ）を示し、ある送信電力レベルで送信される、
前記パケットから導出された信号特性に基づいて第２のＭＣＳを推定するための手段と、
前記ワイヤレスデバイスにＭＣＳ変化インジケータを含む肯定応答パケットを送信するための手段と、
ここにおいて、前記第２のＭＣＳが前記第１のＭＣＳよりも大きく、前記第１のＭＣＳが特定のレベルよりも小さいとき、前記ＭＣＳ変化インジケータが、前記第１のＭＣＳを増分するように前記ワイヤレスデバイスに命令し、
前記第２のＭＣＳが前記第１のＭＣＳよりも大きく、前記第１のＭＣＳが前記特定のレベルにあるとき、前記ＭＣＳ変化インジケータが、前記送信電力レベルを低減するように前記ワイヤレスデバイスに命令し、
前記第２のＭＣＳが前記第１のＭＣＳ以下であるとき、前記ＭＣＳ変化インジケータが、前記第１のＭＣＳを維持するように前記ワイヤレスデバイスに命令する、
を備える、装置。
【請求項１１】
第１のワイヤレスデバイスから第２のワイヤレスデバイスにパケットをある送信電力レベルで送信することと、
前記パケットに応答して、送信電力レベル変化インジケータを含む肯定応答パケットが前記第２のワイヤレスデバイスから受信されたとき、
前記送信電力レベル変化インジケータが第１の値を有するとき、前記送信電力レベルを維持することと、
前記送信電力レベル変化インジケータが第２の値を有するとき、前記送信電力レベルを減少させることと
肯定応答時間期間内の前記パケットに応答して、前記肯定応答パケットが受信されたとき、
前記送信電力レベルが特定の送信電力レベルよりも小さいとき、増加した電力レベルで前記パケットを再送信することと、
前記送信電力が前記特定の送信電力レベルに等しいとき、減少した変調およびコーディング方式（ＭＣＳ）に従って前記パケットを再送信することと
を備える方法。
【請求項１２】
第１のワイヤレスデバイスから第２のワイヤレスデバイスにパケットをある送信電力レベルで送信するための手段と、
前記パケットを送信したことに応答して、前記第２のワイヤレスデバイスから送信電力レベル変化インジケータを含む肯定応答パケットを受信するための手段と、
肯定応答応答時間期間内に前記パケットに応答して、肯定応答パケットが受信されるかどうかを判断するための手段と、
前記送信電力レベルを変化させるべきかどうかを判断するための手段と、ここにおいて、前記送信電力レベルを変化させるべきかどうかを判断するための前記手段は、
前記肯定応答パケットが前記肯定応答応答時間期間内に受信されるとき、
前記送信電力レベル変化インジケータが第１の値を有するとき、前記送信電力レベルを維持することと、
前記送信電力レベル変化インジケータが第２の値を有するとき、前記送信電力レベルを減少させることと、
前記肯定応答パケットが前記肯定応答応答時間期間内に受信されないとき、
前記送信電力レベルが特定の送信電力レベルよりも小さいとき、増加した電力レベルで前記パケットを再送信することと、
前記送信電力が前記特定の送信電力レベルに等しいとき、減少した変調およびコーディング方式（ＭＣＳ）に従って前記パケットを再送信することと
を行うように構成される、装置。
【請求項１３】
第２のワイヤレスデバイスにおいて第１のワイヤレスデバイスによって送信されたパケットを受信することと、ここにおいて、前記パケットが、変調およびコーディング方式（ＭＣＳ）を示し、ある送信電力レベルで送信される、
前記パケットの復号中に検出されたエラーに応答して、前記エラーがチャネル状態によって生じたか衝突によって生じたかを判断することと、
前記判断に基づいて前記第１のワイヤレスデバイスに否定応答パケットを送信することと、
ここにおいて、前記エラーが前記チャネル状態によって生じたとき、前記否定応答パケットが、前記ＭＣＳを減少させるか、前記送信電力レベルを増加させるか、またはそれらの任意の組合せを行うように前記第１のワイヤレスデバイスに命令し、
前記エラーが前記衝突によって生じたとき、前記否定応答パケットが、前記ＭＣＳと前記送信電力レベルとを維持するように前記第１のワイヤレスデバイスに命令する、
を備える、方法。
【請求項１４】
ワイヤレスデバイスから送信されたパケットを受信するための手段と、ここにおいて、前記パケットは、変調およびコーディング方式（ＭＣＳ）を示し、ある送信電力レベルで送信される、
前記パケットにおけるエラーがチャネル状態によって生じたか衝突によって生じたかを判断するための手段と、
前記判断に基づいて前記ワイヤレスデバイスに否定応答パケットを送信するための手段と、
ここにおいて、前記エラーが前記チャネル状態によって生じたとき、前記否定応答パケットが、前記ＭＣＳを減少させるか、前記送信電力レベルを増加させるか、またはそれらの任意の組合せを行うように前記ワイヤレスデバイスに命令し、
前記エラーが前記衝突によって生じたとき、前記否定応答パケットが、前記ＭＣＳと前記送信電力レベルとを維持するように前記ワイヤレスデバイスに命令する、
を備える、装置。
【請求項１５】
請求項１乃至請求項７、９、１１、または１３のうちの１つに記載の方法のすべてのステップを実装するためにコンピュータ実行可能なプログラム命令を備える、コンピュータプログラム製品。
【手続補正２】
【補正対象書類名】明細書
【補正対象項目名】００８９
【補正方法】変更
【補正の内容】
【００８９】
[0094]開示する実施形態の上記の説明は、開示する実施形態を当業者が作成または使用することができるように行ったものである。上記は本開示の態様を対象とするが、本開示の他の態様は、それの基本的範囲から逸脱することなく考案され得、その範囲は以下の特許請求の範囲によって決定される。本開示または特許請求の範囲から逸脱することなく、本明細書で説明した実施形態の構成、動作および詳細において、様々な改変、変更および変形が行われ得る。したがって、本開示は、本明細書の実施形態に限定されるものではなく、以下の特許請求の範囲およびそれの均等物によって定義される原理および新規の特徴と一致することが可能な最も広い範囲が与えられるべきものである。
以下に、本願出願の当初の特許請求の範囲に記載された発明を付記する。
［Ｃ１］
第１のワイヤレスデバイスから第２のワイヤレスデバイスにパケットを送信することと、ここにおいて、前記パケット内のデータが符号化され、前記パケットを表す信号が変調およびコーディング方式（ＭＣＳ）に従って変調される、
前記パケットを送信したことに応答して、ワイヤレスローカルエリアネットワーク（ＷＬＡＮ）を介して前記第２のワイヤレスデバイスからＭＣＳ変化インジケータを含む肯定応答パケットを受信したことに応答して、
前記ＭＣＳ変化インジケータが第１の値を有するとき、前記ＭＣＳを維持することと、
前記ＭＣＳ変化インジケータが第２の値を有するとき、前記ＭＣＳを増分することと
を備える、方法。
［Ｃ２］
前記パケットが第１の送信電力レベルで送信され、前記方法は、時間期間内に前記パケットに応答して前記肯定応答パケットが受信されないとき、前記第１の送信電力レベルよりも大きい第２の送信電力レベルに従って前記パケットを再送信することをさらに備える、Ｃ１に記載の方法。
［Ｃ３］
前記パケットが、前記第１のワイヤレスデバイスの起動時に、最も低いＭＣＳに従って前記第１のワイヤレスデバイスから送信される、Ｃ１に記載の方法。
［Ｃ４］
前記最も低いＭＣＳが、前記第１のワイヤレスデバイスの最も低い利用可能なＭＣＳ、前記第２のワイヤレスデバイスに関して最も低い履歴的に使用されたＭＣＳ、前記第１のワイヤレスデバイスによる使用中に特定のワイヤレスチャネルに関して最も低い履歴的に使用されたＭＣＳ、またはそれらの任意の組合せを備える、Ｃ３に記載の方法。
［Ｃ５］
前記最も低いＭＣＳが前記第１のワイヤレスデバイスに記憶される、Ｃ３に記載の方法。
［Ｃ６］
前記ＷＬＡＮが電気電子技術者協会（ＩＥＥＥ）８０２．１１プロトコルに準拠する、Ｃ１に記載の方法。
［Ｃ７］
前記ＭＣＳ変化インジケータが７ビット未満を含む、Ｃ１に記載の方法。
［Ｃ８］
前記ＭＣＳ変化インジケータがシングルビットである、Ｃ７に記載の方法。
［Ｃ９］
前記ＭＣＳ変化インジケータがビットのペアである、Ｃ７に記載の方法。
［Ｃ１０］
前記ＭＣＳ変化インジケータが、前記肯定応答パケットの物理レイヤ（ＰＨＹ）プリアンブル、前記ＰＨＹプリアンブルの信号（ＳＩＧ）フィールド、前記肯定応答パケットのメディアアクセス制御（ＭＡＣ）ヘッダ、前記肯定応答パケットの高スループット（ＨＴ）制御フィールド、またはそれらの組合せ中に含まれる、Ｃ１に記載の方法。
［Ｃ１１］
前記肯定応答パケットがブロック肯定応答である、Ｃ１に記載の方法。
［Ｃ１２］
前記肯定応答パケット中に含まれる前記ＭＣＳ変化インジケータが第３の値を有するとき、前記ＭＣＳを減分することをさらに備える、Ｃ１に記載の方法。
［Ｃ１３］
前記パケットが送信要求（ＲＴＳ）メッセージ中に含まれる、Ｃ１に記載の方法。
［Ｃ１４］
前記肯定応答パケットが送信可（ＣＴＳ）メッセージ中に含まれる、Ｃ１に記載の方法。
［Ｃ１５］
前記ＭＣＳ変化インジケータが前記第２の値を有し、前記ＭＣＳが特定のレベルにあるとき、前記第２のワイヤレスデバイスへの後続の送信において使用するための送信電力を減少させることをさらに備える、Ｃ１に記載の方法。
［Ｃ１６］
前記肯定応答パケットが時間期間内に受信されないことに応答して、前記ＭＣＳよりも小さい第２のＭＣＳに従って前記パケットを再送信することをさらに備える、Ｃ１に記載の方法。
［Ｃ１７］
第２のワイヤレスデバイスにおいて第１のワイヤレスデバイスによって送信されたパケットを受信することと、ここにおいて、前記パケットが第１の変調およびコーディング方式（ＭＣＳ）を示す、
前記パケットから導出された信号特性に基づいて前記第２のワイヤレスデバイスにおいて第２のＭＣＳを推定することと、
前記第２のＭＣＳが前記第１のＭＣＳよりも大きいとき、前記第２のワイヤレスデバイスからＭＣＳ変化インジケータとともに第１の肯定応答パケットを前記第１のワイヤレスデバイスに送信することと、ここにおいて、前記ＭＣＳ変化インジケータは、前記第１のＭＣＳが特定のレベルよりも小さいとき、前記第１のＭＣＳを増分し、前記第１のＭＣＳが前記特定のレベルにあるとき、送信電力レベルを低減するように前記第１のワイヤレスデバイスに命令する、
前記第２のＭＣＳが前記第１のＭＣＳ以下であるとき、前記第１のＭＣＳを維持するように前記第１のワイヤレスデバイスに命令するインジケータとともに第２の肯定応答パケットを前記第１のワイヤレスデバイスに送信することとを備える方法。
［Ｃ１８］
前記パケットが、前記第１のワイヤレスデバイスの起動時に、最も低いＭＣＳに従って前記第１のワイヤレスデバイスから送信される、Ｃ１７に記載の方法。
［Ｃ１９］
前記最も低いＭＣＳが、前記第１のワイヤレスデバイスの最も低い利用可能なＭＣＳ、前記第２のワイヤレスデバイスに関して最も低い履歴的に使用されたＭＣＳ、前記第１のワイヤレスデバイスによる使用中に特定のワイヤレスチャネルに関して最も低い履歴的に使用されたＭＣＳ、またはそれらの任意の組合せを備える、Ｃ１８に記載の方法。
［Ｃ２０］
前記最も低いＭＣＳが前記第１のワイヤレスデバイスに記憶される、Ｃ１８に記載の方法。
［Ｃ２１］
前記パケットと前記肯定応答パケットとが電気電子技術者協会（ＩＥＥＥ）８０２．１１ａｈ準拠プロトコルを介して送信される、Ｃ１７に記載の方法。
［Ｃ２２］
前記ＭＣＳ変化インジケータが７ビット未満を含む、Ｃ１７に記載の方法。
［Ｃ２３］
前記ＭＣＳ変化インジケータがシングルビットである、Ｃ２２に記載の方法。
［Ｃ２４］
前記ＭＣＳ変化インジケータがビットのペアである、Ｃ２２に記載の方法。
［Ｃ２５］
前記ＭＣＳ変化インジケータが、前記肯定応答パケットの物理レイヤ（ＰＨＹ）プリアンブル、前記ＰＨＹプリアンブルの信号（ＳＩＧ）フィールド、前記肯定応答パケットのメディアアクセス制御（ＭＡＣ）ヘッダ、前記肯定応答パケットの高スループット（ＨＴ）制御フィールド、またはそれらの組合せ中に含まれる、Ｃ１７に記載の方法。
［Ｃ２６］
前記肯定応答パケットがブロック肯定応答である、Ｃ１７に記載の方法。
［Ｃ２７］
前記肯定応答パケット中に含まれる前記ＭＣＳ変化インジケータが第３の値を有するとき、前記ＭＣＳを減分することをさらに備える、Ｃ１７に記載の方法。
［Ｃ２８］
前記パケットが送信要求（ＲＴＳ）メッセージ中に含まれる、Ｃ１７に記載の方法。
［Ｃ２９］
前記肯定応答パケットが送信可（ＣＴＳ）メッセージ中に含まれる、Ｃ１７に記載の方法。
［Ｃ３０］
第１のワイヤレスデバイスから第２のワイヤレスデバイスにパケットをある送信電力レベルで送信することと、
前記パケットに応答して、送信電力レベル変化インジケータを含む肯定応答パケットが前記第２のワイヤレスデバイスから受信されたとき、
前記送信電力レベル変化インジケータが第１の値を有するとき、前記送信電力レベルを維持することと、
前記送信電力レベル変化インジケータが第２の値を有するとき、前記送信電力レベルを減少させることと
を備える方法。
［Ｃ３１］
肯定応答応答時間期間内に前記パケットに応答して肯定応答パケットが受信されないとき、
前記送信電力レベルが特定の送信電力レベルよりも小さいとき、増加した電力レベルで前記パケットを再送信することと、
前記送信電力が前記特定の送信電力レベルに等しいとき、減少した変調およびコーディング方式（ＭＣＳ）に従って前記パケットを再送信することと
をさらに備える、Ｃ３０に記載の方法。
［Ｃ３２］
第２のワイヤレスデバイスにおいて第１のワイヤレスデバイスによって送信されたパケットを受信することと、ここにおいて、前記パケットが、選択された変調およびコーディング方式（ＭＣＳ）を示し、ある送信電力レベルで送信される、
前記パケットから導出された信号特性を前記選択されたＭＣＳに関連するターゲット信号特性と比較することと、
前記導出された信号特性が前記ターゲット信号特性よりも大きいとき、前記第２のワイヤレスデバイスから第１の肯定応答パケットを前記第１のワイヤレスデバイスに送信することと、ここにおいて、前記第１の肯定応答パケットが、前記送信電力レベルを減少させるように前記第１のワイヤレスデバイスに命令する送信電力レベル変化インジケータを含む、
前記導出された信号特性が前記ターゲット信号特性以下であるとき、前記送信電力レベルを維持するように前記第１のワイヤレスデバイスに命令するインジケータとともに第２の肯定応答パケットを前記第１のワイヤレスデバイスに送信することとを備える方法。
［Ｃ３３］
第２のワイヤレスデバイスにおいて第１のワイヤレスデバイスによって送信されたパケットを受信することと、ここにおいて、前記パケットが、変調およびコーディング方式（ＭＣＳ）を示し、ある送信電力レベルで送信される、
前記パケットの復号中に検出されたエラーに応答して、前記エラーがチャネル状態によって生じたか衝突によって生じたかを判断することと、
前記判断に基づいて前記第１のワイヤレスデバイスに否定応答パケットを送信することと、ここにおいて前記送信することは、
前記エラーが前記チャネル状態によって生じたとき、前記否定応答パケットが、前記ＭＣＳを減少させるか、前記送信電力レベルを増加させるか、またはそれらの任意の組合せを行うように前記第１のワイヤレスデバイスに命令し、
前記エラーが前記衝突によって生じたとき、前記否定応答パケットが、前記ＭＣＳと前記送信電力レベルとを維持するように前記第１のワイヤレスデバイスに命令する、送信することとを備える方法。
［Ｃ３４］
前記エラーが前記チャネル状態によって生じたか前記衝突によって生じたかを判断することは、
前記パケットから導出された受信信号強度指示（ＲＳＳＩ）が特定の範囲内にあるかどうかを判断すること、
前記ＲＳＳＩが前のＲＳＳＩよりもしきい値量超だけ大きいかどうかと、前記パケットから導出された信号対雑音比（ＳＮＲ）が前のＳＮＲよりも小さいかどうかとを判断することであって、前記前のＲＳＳＩと前記前のＳＮＲとがそれぞれ、前記第１のワイヤレスデバイスから受信された前のパケットから導出される、判断すること、
前記ＲＳＳＩが急激な増加または減少を示すかどうかを判断すること、
前記ＳＮＲが前記ＭＣＳをサポートすることができるかどうかを判断すること、
あるいはそれらの任意の組合せを備える、Ｃ３３に記載の方法。
［Ｃ３５］
プロセッサと、
メモリであって、
ワイヤレスデバイスへのパケットの送信を開始することであって、前記パケット内のデータが符号化され、前記パケットを表す信号が変調およびコーディング方式（ＭＣＳ）に従って変調され、前記信号がある送信電力レベルで送信される、開始することと、
前記パケットを送信したことに応答して、ワイヤレスローカルエリアネットワーク（ＷＬＡＮ）を介した前記ワイヤレスデバイスからの肯定応答パケットの受信に応答して、
前記肯定応答パケットのＭＣＳ変化インジケータが第１の値を有するとき、前記ＭＣＳを維持することと、
前記肯定応答パケットの前記ＭＣＳ変化インジケータが第２の値を有するとき、前記ＭＣＳを増分することと
を行うように前記プロセッサによって実行可能な命令を記憶した、メモリと
を備える装置。
［Ｃ３６］
前記ＭＣＳ変化インジケータがシングルビットである、Ｃ３５に記載の装置。
［Ｃ３７］
前記肯定応答パケットが送信電力レベル変化インジケータをさらに含み、前記送信電力レベル変化インジケータがシングルビットである、Ｃ３５に記載の装置。
［Ｃ３８］
前記ＭＣＳ変化インジケータと前記送信電力レベル変化インジケータとが少なくとも１つの共通ビットを共有する、Ｃ３７に記載の装置。
［Ｃ３９］
前記命令は、時間期間内に前記パケットに応答して肯定応答パケットが受信されないとき、減少したＭＣＳに従って、増加した電力レベルで、またはそれらの任意の組合せで前記パケットを再送信するように前記プロセッサによってさらに実行可能である、Ｃ３５に記載の装置。
［Ｃ４０］
前記ＷＬＡＮが電気電子技術者協会（ＩＥＥＥ）８０２．１１プロトコルに準拠する、Ｃ３５に記載の装置。
［Ｃ４１］
前記命令は、前記肯定応答パケットが時間期間内に受信されないことに応答して、前記ＭＣＳよりも小さい第２のＭＣＳに従って前記パケットの送信を再開始するように前記プロセッサによってさらに実行可能である、Ｃ３５に記載の装置。
［Ｃ４２］
プロセッサと、
メモリであって、
ワイヤレスデバイスから送信されたパケットの受信を検出することと、ここにおいて、前記パケットが、第１の変調およびコーディング方式（ＭＣＳ）を示し、ある送信電力レベルで送信される、
前記パケットから導出された信号特性に基づいて第２のＭＣＳを推定することと、
前記ワイヤレスデバイスへのＭＣＳ変化インジケータを含む肯定応答パケットの送信を開始することであって、
前記第２のＭＣＳが前記第１のＭＣＳよりも大きく、前記第１のＭＣＳが特定のレベルよりも小さいとき、前記ＭＣＳ変化インジケータが、前記第１のＭＣＳを増分するように前記ワイヤレスデバイスに命令し、
前記第２のＭＣＳが前記第１のＭＣＳよりも大きく、前記第１のＭＣＳが前記特定のレベルにあるとき、前記ＭＣＳ変化インジケータが、前記送信電力レベルを低減するように前記ワイヤレスデバイスに命令し、
前記第２のＭＣＳが前記第１のＭＣＳ以下であるとき、前記ＭＣＳ変化インジケータが、前記第１のＭＣＳを維持するように前記ワイヤレスデバイスに命令する、開始することと
を行うように前記プロセッサによって実行可能な命令を記憶した、メモリと
を備える装置。
［Ｃ４３］
プロセッサと、
メモリであって、
第１のワイヤレスデバイスから第２のワイヤレスデバイスへのある送信電力レベルでのパケットの送信を開始することと、
前記パケットを送信したことに応答して、送信電力レベル変化インジケータを含む肯定応答パケットが前記第２のワイヤレスデバイスから受信されたとき、
前記送信電力レベル変化インジケータが第１の値を有するとき、前記送信電力レベルを維持することと、
前記送信電力レベル変化インジケータが第２の値を有するとき、前記送信電力レベルを減少させることと
を行うように前記プロセッサによって実行可能な命令を記憶した、メモリと
を備える装置。
［Ｃ４４］
肯定応答応答時間期間内に前記パケットに応答して肯定応答パケットが受信されないとき、
前記送信電力レベルが特定の送信電力レベルよりも小さいとき、増加した電力レベルで前記パケットを再送信することと、
前記送信電力が前記特定の送信電力レベルに等しいとき、減少した変調およびコーディング方式（ＭＣＳ）に従って前記パケットを再送信することと
をさらに備える、Ｃ４３に記載の装置。
［Ｃ４５］
プロセッサと、
メモリであって、
ワイヤレスデバイスから送信されたパケットの受信を検出することと、ここにおいて、前記パケットが、選択された変調およびコーディング方式（ＭＣＳ）を示し、ある送信電力レベルで送信される、
前記パケットから導出された信号特性をターゲット信号特性と比較することと、
前記ワイヤレスデバイスへの肯定応答パケットの送信を開始することと、ここにおいて、前記導出された信号特性が前記ターゲット信号特性よりも大きいとき、前記肯定応答パケットが、前記送信電力レベルを減少させるように前記ワイヤレスデバイスに命令する送信電力レベル変化インジケータを含み、前記導出された信号特性が前記ターゲット信号特性以下であるとき、前記肯定応答パケットが、前記送信電力レベルを維持するように前記ワイヤレスデバイスに命令するインジケータを含む、
を行うように前記プロセッサによって実行可能な命令を記憶した、メモリと
を備える装置。
［Ｃ４６］
プロセッサと、
メモリであって、
ワイヤレスデバイスから送信されたパケットの受信を検出することと、ここにおいて、前記パケットが、変調およびコーディング方式（ＭＣＳ）を示し、ある送信電力レベルで送信される、
前記パケットの復号中に検出されたエラーに応答して、前記エラーがチャネル状態によって生じたか衝突によって生じたかを判断することと、
前記判断に基づいて前記ワイヤレスデバイスへの否定応答パケットの送信を開始することと、ここにおいて、前記エラーが前記チャネル状態によって生じたとき、前記否定応答パケットが、前記ＭＣＳを減少させるか、前記送信電力レベルを増加させるか、またはそれらの任意の組合せを行うように前記ワイヤレスデバイスに命令し、前記エラーが前記衝突によって生じたとき、前記否定応答パケットが、前記ＭＣＳと前記送信電力レベルとを維持するように前記ワイヤレスデバイスに命令する、
を行うように前記プロセッサによって実行可能な命令を記憶した、メモリと
を備える装置。
［Ｃ４７］
前記エラーが前記チャネル状態によって生じたか前記衝突によって生じたかを判断するように前記プロセッサによって実行可能な前記命令は、
前記パケットから導出された受信信号強度指示（ＲＳＳＩ）が特定の範囲内にあるかどうかを判断すること、
前記ＲＳＳＩが前のＲＳＳＩよりもしきい値量超だけ大きいかどうかと、前記パケットから導出された信号対雑音比（ＳＮＲ）が前のＳＮＲよりも小さいかどうかとを判断することと、ここにおいて、前記前のＲＳＳＩと前記前のＳＮＲとがそれぞれ、前記ワイヤレスデバイスから受信された前のパケットから導出される、
前記ＲＳＳＩが急激な増加または減少を示すかどうかを判断すること、
前記ＳＮＲが前記ＭＣＳをサポートすることができるかどうかを判断すること、
あるいはそれらの任意の組合せを行うように前記プロセッサによって実行可能な命令を含む、Ｃ４６に記載の装置。
［Ｃ４８］
ワイヤレスデバイスにパケットを送信するための手段と、ここにおいて、前記パケット内のデータが符号化され、前記パケットを表す信号が変調およびコーディング方式（ＭＣＳ）に従って変調され、前記信号がある送信電力レベルで送信される、
前記パケットを送信したことに応答して、ワイヤレスローカルエリアネットワーク（ＷＬＡＮ）を介して前記ワイヤレスデバイスから肯定応答パケットを受信するための手段と、
前記肯定応答パケットの受信に応答して、前記ＭＣＳを変化させるべきかどうかを判断することと、ここにおいて、判断するための前記手段は、
前記肯定応答パケットのＭＣＳ変化インジケータが第１の値を有するとき、前記ＭＣＳを維持することと、
前記肯定応答パケットの前記ＭＣＳ変化インジケータが第２の値を有するとき、前記ＭＣＳを増分することと
を行うように構成された、判断するための手段と
を備える装置。
［Ｃ４９］
第１のワイヤレスデバイスから第２のワイヤレスデバイスにパケットをある送信電力レベルで送信するための手段と、
前記パケットを送信したことに応答して、前記第２のワイヤレスデバイスから送信電力レベル変化インジケータを含む肯定応答パケットを受信するための手段と、
前記送信電力レベルを変化させるべきかどうかを判断するための手段と、ここにおいて、判断するための前記手段は、
前記送信電力レベル変化インジケータが第１の値を有するとき、前記送信電力レベルを維持することと、
前記送信電力レベル変化インジケータが第２の値を有するとき、前記送信電力レベルを減少させることと
を行うように構成された、判断するための手段と
を備える装置。
［Ｃ５０］
ワイヤレスデバイスから送信されたパケットを受信するための手段と、ここにおいて、前記パケットは、第１の変調およびコーディング方式（ＭＣＳ）を示し、ある送信電力レベルで送信される、
前記パケットから導出された信号特性に基づいて第２のＭＣＳを推定するための手段と、
前記ワイヤレスデバイスにＭＣＳ変化インジケータを含む肯定応答パケットを送信するための手段であって、
前記第２のＭＣＳが前記第１のＭＣＳよりも大きく、前記第１のＭＣＳが特定のレベルよりも小さいとき、前記ＭＣＳ変化インジケータが、前記第１のＭＣＳを増分するように前記ワイヤレスデバイスに命令し、
前記第２のＭＣＳが前記第１のＭＣＳよりも大きく、前記第１のＭＣＳが前記特定のレベルにあるとき、前記ＭＣＳ変化インジケータが、前記送信電力レベルを低減するように前記ワイヤレスデバイスに命令し、
前記第２のＭＣＳが前記第１のＭＣＳ以下であるとき、前記ＭＣＳ変化インジケータが、前記第１のＭＣＳを維持するように前記ワイヤレスデバイスに命令する、
送信するための手段と
を備える装置。
［Ｃ５１］
ワイヤレスデバイスから送信されたパケットを受信するための手段と、ここにおいて、前記パケットは、選択された変調およびコーディング方式（ＭＣＳ）を示し、ある送信電力レベルで送信される、
前記パケットから導出された信号特性をターゲット信号特性と比較するための手段と、
前記ワイヤレスデバイスに肯定応答パケットを送信するための手段と、ここにおいて、前記導出された信号特性が前記ターゲット信号特性よりも大きいとき、前記肯定応答パケットが、前記送信電力レベルを減少させるように前記ワイヤレスデバイスに命令する送信電力レベル変化インジケータを含み、
前記導出された信号特性が前記ターゲット信号特性以下であるとき、前記肯定応答パケットが、前記送信電力レベルを維持するように前記ワイヤレスデバイスに命令するインジケータを含む、を備える装置。
［Ｃ５２］
ワイヤレスデバイスから送信されたパケットを受信するための手段と、ここにおいて、前記パケットは、変調およびコーディング方式（ＭＣＳ）を示し、ある送信電力レベルで送信される、
前記パケットにおけるエラーがチャネル状態によって生じたか衝突によって生じたかを判断するための手段と、
前記判断に基づいて前記ワイヤレスデバイスに否定応答パケットを送信するための手段と、ここにおいて、前記エラーが前記チャネル状態によって生じたとき、前記否定応答パケットが、前記ＭＣＳを減少させるか、前記送信電力レベルを増加させるか、またはそれらの任意の組合せを行うように前記ワイヤレスデバイスに命令し、
前記エラーが前記衝突によって生じたとき、前記否定応答パケットが、前記ＭＣＳと前記送信電力レベルとを維持するように前記ワイヤレスデバイスに命令する、を備える装置。
［Ｃ５３］
プロセッサによって実行されたとき、
ワイヤレスデバイスへのパケットの送信を開始することと、ここにおいて、前記パケット内のデータは符号化され、前記パケットを表す信号が変調およびコーディング方式（ＭＣＳ）に従って変調され、前記信号がある送信電力レベルで送信される、
前記パケットを送信したことに応答して、ワイヤレスローカルエリアネットワーク（ＷＬＡＮ）を介した前記ワイヤレスデバイスからの肯定応答パケットの受信に応答して、
前記肯定応答パケットのＭＣＳ変化インジケータが第１の値を有するとき、前記ＭＣＳを維持することと、
前記肯定応答パケットの前記ＭＣＳ変化インジケータが第２の値を有するとき、前記ＭＣＳを増分することと
を前記プロセッサに行わせる命令を含むコンピュータ可読記憶媒体。
［Ｃ５４］
プロセッサによって実行されたとき、
ワイヤレスデバイスから送信されたパケットの受信を検出することと、ここにおいて、前記パケットは、第１の変調およびコーディング方式（ＭＣＳ）を示し、ある送信電力レベルで送信される、
前記パケットから導出された信号特性に基づいて第２のＭＣＳを推定することと、
前記ワイヤレスデバイスへのＭＣＳ変化インジケータを含む肯定応答パケットの送信を開始することと、ここにおいて、前記第２のＭＣＳは前記第１のＭＣＳよりも大きく、前記第１のＭＣＳが特定のレベルよりも小さいとき、前記ＭＣＳ変化インジケータが、前記第１のＭＣＳを増分するように前記ワイヤレスデバイスに命令し、
前記第２のＭＣＳが前記第１のＭＣＳよりも大きく、前記第１のＭＣＳが前記特定のレベルにあるとき、前記ＭＣＳ変化インジケータが、送信電力レベルを低減するように前記ワイヤレスデバイスに命令し、
前記第２のＭＣＳが前記第１のＭＣＳ以下であるとき、前記ＭＣＳ変化インジケータが、前記第１のＭＣＳを維持するように前記ワイヤレスデバイスに命令する、
開始することと
を前記プロセッサに行わせる命令を含むコンピュータ可読記憶媒体。
［Ｃ５５］
プロセッサによって実行されたとき、
第１のワイヤレスデバイスから第２のワイヤレスデバイスへのある送信電力レベルでのパケットの送信を開始することと、
前記パケットの送信に応答して、送信電力レベル変化インジケータを含む肯定応答パケットが前記第２のワイヤレスデバイスから受信されたとき、
前記送信電力レベル変化インジケータが第１の値を有するとき、前記送信電力レベルを維持することと、
前記送信電力レベル変化インジケータが第２の値を有するとき、前記送信電力レベルを減少させることと
を前記プロセッサに行わせる命令を含むコンピュータ可読記憶媒体。
［Ｃ５６］
プロセッサによって実行されたとき、
ワイヤレスデバイスから送信されたパケットの受信を検出することであって、前記パケットが、選択された変調およびコーディング方式（ＭＣＳ）を示し、ある送信電力レベルで送信される、検出することと、
前記パケットから導出された信号特性をターゲット信号特性と比較することと、
前記ワイヤレスデバイスへの肯定応答パケットの送信を開始することであって、
前記導出された信号特性が前記ターゲット信号特性よりも大きいとき、前記肯定応答パケットが、前記送信電力レベルを減少させるように前記ワイヤレスデバイスに命令する送信電力レベル変化インジケータを含み、
前記導出された信号特性が前記ターゲット信号特性以下であるとき、前記肯定応答パケットが、前記送信電力レベルを維持するように前記ワイヤレスデバイスに命令するインジケータを含む、
開始することと
を前記プロセッサに行わせる命令を含むコンピュータ可読記憶媒体。
［Ｃ５７］
プロセッサによって実行されたとき、
ワイヤレスデバイスから送信されたパケットの受信を検出することと、ここにおいて、前記パケットは、変調およびコーディング方式（ＭＣＳ）を示し、ある送信電力レベルで送信される、
前記パケットの復号中に検出されたエラーに応答して、前記エラーがチャネル状態によって生じたか衝突によって生じたかを判断することと、
前記判断に基づいて前記ワイヤレスデバイスへの否定応答パケットの送信を開始することであって、
前記エラーが前記チャネル状態によって生じたとき、前記否定応答パケットが、前記ＭＣＳを減少させるか、前記送信電力レベルを増加させるか、またはそれらの任意の組合せを行うように前記ワイヤレスデバイスに命令し、
前記エラーが前記衝突によって生じたとき、前記否定応答パケットが、前記ＭＣＳと前記送信電力レベルとを維持するように前記ワイヤレスデバイスに命令する、を前記プロセッサに行わせる命令を含むコンピュータ可読記憶媒体。